(57)【要約】【課題】病院及び医療・介護施設における、非接触の情報記録担体を使用した投薬管理システムを提供する。【解決手段】投薬管理システム１０は、薬品の容器１に貼付、または、埋め込まれた、非接触で情報を書き込み、または、読み出すことのできる情報記録担体２と、この情報記録担体２が貼付または埋め込まれている薬品の識別する名称、記号等の識別子を格納する前記情報記録担体２中の格納部３と、前記格納部３に格納された前記識別子を非接触で読み出すリーダライタ４より構成される。上記構成により、リーダライタ４により情報記録担体２の格納部３に格納した薬品名称と薬品コードを非接触で読み出すことができる。さらに前記薬品コードを電子カルテの投薬計画と照合することで薬剤師の間違いによる調合・配布ミスを未然に防止する。【選択図】　図１
2004070471.tif 000002
【特許請求の範囲】
【請求項１】
薬品の容器に貼付、または、埋め込まれた、非接触で情報を書き込み、または、読み出すことのできる情報記録担体と、この情報記録担体が貼付または埋め込まれている薬品を識別する名称、記号等の識別子を格納する前記情報記録担体中の格納部と、前記格納部に格納された前記識別子を非接触で読み出すリーダライタからなる投薬管理システム。
【請求項２】
薬品の容器に貼付、または、埋め込まれた、非接触で情報を書き込み、または、読み出すことのできる情報記録担体と、この情報記録担体が貼付または埋め込まれている薬品を識別する名称、記号等の識別子を格納する前記情報記録担体中の格納部と、前記格納部に格納された前記識別子を非接触で読み出すリーダライタと、前記リーダライタとの通信を行なう情報管理装置とからなる投薬管理システム。
【請求項３】
薬品の容器に貼付、または、埋め込まれた、非接触で情報を書き込み、または、読み出すことのできる第１の情報記録担体と、この第１の情報記録担体が貼付または埋め込まれている薬品を識別する名称、記号等の識別子を格納する前記第１の情報記録担体中の格納部と、前記格納部に格納された前記識別子を非接触で読み出すリーダライタと、患者に既に投薬された、または、投薬される予定の薬品を識別するための名称、記号等の識別子を格納した第２の情報記録担体と、前記リーダライタとの通信を行なう情報管理装置とを有し、前記情報管理装置で、第１の情報記録担体で読み取った識別子と第２の情報記録担体で読み取った識別子とを照合可能な投薬管理システム。
【発明の詳細な説明】
【０００１】
【発明の属する技術分野】
本発明は、病院及び医療・介護施設における、非接触の情報記録担体を使用した投薬管理システムに関するものである。
【０００２】
【従来の技術】
電子カルテシステム、在宅患者の健康管理システムなど医療現場におけるコンピュータネットワークの利用がすでに実施されている。
【０００３】
病院及び医療・介護施設における医療行為を管理するシステムとして、例えば特開２００１−３１２５６６号公報が公開されている。特開２００１−３１２５６６号公報に掲載されている医療行為事故防止支援システムは、投薬・点滴・酸素吸入・麻酔など医師や看護婦が行なう医療行為を医療行為計画として格納するメインコンピュータと、患者を識別する情報（以下、「患者ＩＤ」という。）と医療行為を識別する情報とを取り込みそれらの情報を携帯型コンピュータに送信する認識装置と、前記認識装置により患者ＩＤを読み取り前記コンピュータに送信し、前記コンピュータから医療行為計画を受信し、さらに前記認識装置から医療行為を識別する情報を読み取り前記医療行為計画と照合し、その照合結果を出力する携帯型コンピュータとにより構成される。
【０００４】
医療行為事故防止支援システムは、医師が処方した医療行為計画が現場の医師や看護婦により確実に入院患者に対し施されることを目指すもので、人の思い込みによる間違った医療行為いわゆる「医療ミス」を防止するとともに医療行為の実績を実績情報として格納する。
【０００５】
【発明が解決しようとする課題】
しかし、上記医療行為事故防止支援システムは、入院患者を対象とするものであり、医療行為を行なう処置室や病室における医療行為を管理するものである。
【０００６】
医療ミスは、処置室や病室以外に医療行為に使用する薬・器材などを調合・配布する調剤室でも発生する可能性がある。
【０００７】
仮に調剤室において間違った薬・器材などを調合・配布した場合、上記医療行為事故防止支援システムでは、医療行為を実施する前に発見することは可能である。しかし、現場の医師や看護婦は調剤室まで戻り準備作業をやり直すことになり、後戻り工程が発生することになる。
【０００８】
また、上記医療行為事故防止支援システムは、調剤室における作業内容の実績管理まで言及しておらず、導入できる形態となっていない。病院は各分野の専門家による分業制により運営されており、各部門における作業内容の実績を管理することは責任分岐点を明確にする上で重要である。
【０００９】
【課題を解決するための手段】
上記課題を解決するために、請求項１に記載の投薬管理システムは、薬品の容器に貼付、または、埋め込まれた、非接触で情報を書き込み、または、読み出すことのできる情報記録担体と、この情報記録担体が貼付または埋め込まれている薬品の識別する名称、記号等の識別子を格納する前記情報記録担体中の格納部と、前記格納部に格納された前記識別子を非接触で読み出すリーダライタにより構成されることを特徴とする。
【００１０】
請求項２に記載の投薬管理システムは、薬品の容器に貼付、または、埋め込まれた、非接触で情報を書き込み、または、読み出すことのできる情報記録担体と、この情報記録担体が貼付または埋め込まれている薬品の識別する名称、記号等の識別子を格納する前記情報記録担体中の格納部と、前記格納部に格納された前記識別子を非接触で読み出すリーダライタと、前記リーダライタとの通信を行なう情報管理装置により構成されることを特徴とする。
【００１１】
請求項３に記載の投薬管理システムは、薬品の容器に貼付、または、埋め込まれた、非接触で情報を書き込み、または、読み出すことのできる第１の情報記録担体と、この第１の情報記録担体が貼付または埋め込まれている薬品を識別する名称、記号等の識別子を格納する前記第１の情報記録担体中の格納部と、前記格納部に格納された前記識別子を非接触で読み出すリーダライタと、患者に既に投薬された、または、投薬される予定の薬品を識別するための名称、記号等の識別子を格納した第２の情報記録担体と、前記リーダライタとの通信を行なう情報管理装置により構成され、前記情報管理装置で、第１の情報記録担体で読み取った識別子と第２の情報記録担体で読み取った識別子とを照合可能であることを特徴とする。
【００１２】
【発明の実施の形態】
以下、本発明の実施の形態について、図面を参照しながら説明する。
【００１３】
（実施の形態１）
本発明の実施の形態１について、図１、図２、図３、図４を用いて説明する。
【００１４】
図１は、投薬管理システムの構成図の一実施例である。図２は、情報記録担体の格納部のメモリ構成の一実施例を示す。図３は、リーダライタと情報記録担体間のデータ送受信プロセスの一実施例を示す。図４は、リーダライタと情報記録担体間の送受信データの電文フォーマットの一実施例を示す。
【００１５】
図１の投薬管理システム１０は、薬品の容器１に貼付、または、埋め込まれた、非接触で情報を書き込み、または、読み出すことのできる情報記録担体２と、この情報記録担体２が貼付または埋め込まれている薬品の識別する名称、記号等の識別子を格納する前記情報記録担体２中の格納部３と、前記格納部３に格納された前記識別子を非接触で読み出すリーダライタ４より構成される。この情報記録担体２としては、ＲＦＩＤタグや非接式のＩＣカードを用いることができ、リーダライタ４はＲＦＩＤタグリーダライタ、非触式ＩＣカードリーダライタを用いることができる。
【００１６】
図２は情報記録担体の格納部のメモリ構成を示し、薬品名称は情報記録担体２が貼付または埋め込まれている薬品の識別する名称、薬品コードは情報記録担体２が貼付または埋め込まれている薬品の識別する記号を示す。情報記録担体２の格納部は、これらの識別子を格納する。
【００１７】
図３は、リーダライタ４と情報記録担体２間のデータ送受信プロセスを示す。なお、情報記録担体２の格納部３には、予め薬品名称と薬品コードが格納されているものとする。
【００１８】
ステップ１００（以下、ステップを「Ｓ」と表記する。）において、リーダライタ４は識別コード読み取りコマンドを情報記録担体２に送信する。なお、リーダライタ４と情報記録担体２間の送受信電文は、図４において説明する。
【００１９】
Ｓ１０１において、情報記録担体２は識別コード読み取りコマンドを受信する。ＳＵＭ値を検証することで電文に誤りが無いことを確認する。
【００２０】
Ｓ１０２において、情報記録担体２は識別コード読み取りコマンドに応動して、格納部３から薬品名称と薬品コードを読み込み、識別コード電文を編集する。
【００２１】
Ｓ１０３において、情報記録担体２は識別コード電文をリーダライタ４に送信する。
【００２２】
Ｓ１０４において、リーダライタ４は識別コード電文を受信する。ＳＵＭ値を検証することで電文に誤りが無いことを確認する。
【００２３】
Ｓ１０５において、リーダライタ４は受信応答電文を情報記録担体２に送信する。
【００２４】
Ｓ１０６において、情報記録担体２は受信応答電文を受信する。情報記録担体２は受信応答電文を受信することにより、識別コード電文の送信が正常終了したことを確認する。
【００２５】
Ｓ１０７において、リーダライタ４は処理を終了する。
【００２６】
図４は、リーダライタと情報記録担体間の送受信データの電文フォーマットを示す。図４（ａ）は、識別コード読み取りコマンドを示す。ＳＴＸは、電文の先頭を示すコードであり、０２ＨＥＸを設定する。識別コード読み取りは、当該電文の種別を示すコードであり、識別コード読み取りの場合は例えば“Ｒ（５２ＨＥＸ）”を設定する。ＥＴＸは、電文のデータ部の終了を示すコードであり、０３ＨＥＸを設定する。ＳＵＭは、ＳＴＸからＥＴＸまでのビット単位の合計値であり、データ化けの検証に使用する。
【００２７】
図４（ｂ）は、識別コード電文を示す。薬品名称と薬品コードは、格納部３から読み込んだ識別コードである。
【００２８】
図４（ｃ）は、受信応答電文を示す。受信正常は、電文を正常に受信したことを示すコードであり、０６ＨＥＸを設定する。なお、電文を正常に受信できなかった場合は、１５ＨＥＸを設定し再送処理を実行する。
【００２９】
以上に示すように、本実施の形態ではリーダライタ４により情報記録担体２の格納部３に格納した薬品名称と薬品コードを非接触で読み出すことができる。
【００３０】
（実施の形態２）
本発明の実施の形態２について、図５、図６、図７を用いて説明する。
【００３１】
図５は、投薬管理システムの構成図の一実施例である。図６は、情報管理装置とリーダライタと情報記録担体間のデータ送受信プロセスの一実施例を示す。図７は、情報管理装置とリーダライタの送受信データの電文フォーマットの一実施例を示す。なお、情報記録担体の格納部のメモリ構成は、図２と同じなので説明を省略する。リーダライタと情報記録担体間の送受信データの電文フォーマットは、図４と同じなので説明を省略する。
【００３２】
図５の投薬管理システム１０は、薬品の容器１に貼付、または、埋め込まれた、非接触で情報を書き込み、または、読み出すことのできる情報記録担体２と、この情報記録担体２が貼付または埋め込まれている薬品の識別する名称、記号等の識別子を格納する前記情報記録担体２中の格納部３と、前記格納部３に格納された前記識別子を非接触で読み出すリーダライタ４と、前記リーダライタ４との通信を行なう情報管理装置５より構成される。
【００３３】
図６は、情報管理装置５とリーダライタ４と情報記録担体２間のデータ送受信プロセスを示す。なお、情報記録担体２の格納部３には、予め薬品名称と薬品コードが格納されているものとする。
【００３４】
Ｓ２００において、情報管理装置５は識別コード読み取りコマンドをリーダライタ４に送信する。なお、情報管理装置５とリーダライタ４間の送受信電文は、図７において説明する。
【００３５】
Ｓ２０１において、リーダライタ４は情報管理装置５から受信した識別コード読み取りコマンドを情報記録担体２に送信する。ＳＵＭ値を検証することで電文に誤りが無いことを確認する。
【００３６】
Ｓ２０２において、情報記録担体２は識別コード読み取りコマンドを受信する。ＳＵＭ値を検証することで電文に誤りが無いことを確認する。
【００３７】
Ｓ２０３において、情報記録担体２は識別コード読み取りコマンドに応動して、格納部３から薬品名称と薬品コードを読み込み、識別コード電文を編集する。
【００３８】
Ｓ２０４において、情報記録担体２は識別コード電文をリーダライタ４に送信する。
【００３９】
Ｓ２０５において、リーダライタ４は識別コード電文を受信する。ＳＵＭ値を検証することで電文に誤りが無いことを確認する。
【００４０】
Ｓ２０６において、リーダライタ４は受信応答電文を情報記録担体２に送信する。
【００４１】
Ｓ２０７において、情報記録担体２は受信応答電文を受信する。情報記録担体２は受信応答電文を受信することにより、識別コード電文の送信が正常終了したことを確認する。
【００４２】
Ｓ２０８において、リーダライタ４は識別コード電文を情報管理装置５に送信する。
【００４３】
Ｓ２０９において、情報管理装置５は識別コード電文を受信する。ＳＵＭ値を検証することで電文に誤りが無いことを確認する。
【００４４】
Ｓ２１０において、情報管理装置５は受信応答電文をリーダライタ４に送信する。
【００４５】
Ｓ２１１において、リーダライタ４は受信応答電文を受信する。リーダライタ４は受信応答電文を受信することにより、識別コード電文の送信が正常終了したことを確認する。
【００４６】
Ｓ２１２において、情報管理装置５は処理を終了する。
【００４７】
図７は、情報管理装置とリーダライタ間の送受信データの電文フォーマットを示す。図７（ａ）は、識別コード読み取りコマンドを示す。識別コード読み取りは、当該電文の種別を示すコードであり、識別コード読み取りの場合は例えば“Ｒ（５２ＨＥＸ）”を設定する。
【００４８】
図７（ｂ）は、識別コード電文を示す。薬品名称と薬品コードは、格納部３から読み込んだ識別コードである。
【００４９】
図７（ｃ）は、受信応答電文を示す。受信正常は、電文を正常に受信したことを示すコードであり、０６ＨＥＸを設定する。なお、電文を正常に受信できなかった場合は、１５ＨＥＸを設定し再送処理を実行する。なお、本実施の形態では、情報管理装置とリーダライタ間の送受信データの電文フォーマットと、リーダライタと情報記録担体間の送受信データの電文フォーマットを同一フォーマットとしているが異なるフォーマットを使用してもよい。
【００５０】
以上に示すように、本実施の形態では情報管理装置５によりリーダライタ４を介して情報記録担体２の格納部３に格納した薬品名称と薬品コードを非接触で読み出すことができる。
【００５１】
（実施の形態３）
本発明の実施の形態３について、図８、図９、図１０、図１１、図１２、図１３を用いて説明する。
【００５２】
図８は、投薬管理システムの構成図の一実施例である。図９は、情報記録担体２ｂの格納部３ｂのメモリ構成の一実施例を示す。図１０は、担当医師により当日投薬計画の入力まで完了した状態の情報記録担体２ｂの格納部３ｂの格納内容をプリンタ出力した一実施例を示す。図１１は、情報管理装置とリーダライタと情報記録担体間のデータ送受信プロセスの一実施例を示す。図１２は、リーダライタ４と情報記録担体２ｂ間の送受信データの電文フォーマットの一実施例を示す。図１３は、当日投薬実績の入力まで完了した状態の情報記録担体２ｂの格納部３ｂの格納内容をプリンタ出力した一実施例を示す。
【００５３】
なお、情報記録担体２ａの格納部３ａのメモリ構成は、図２と同じなので説明を省略する。リーダライタ４と情報記録担体２ａ間の送受信データの電文フォーマットは、図４と同じなので説明を省略する。情報管理装置５とリーダライタ４の送受信データの電文フォーマットは、図７と同じなので説明を省略する。
【００５４】
図８の投薬管理システム１０は、薬品の容器１に貼付、または、埋め込まれた、非接触で情報を書き込み、または、読み出すことのできる第１の情報記録担体２ａと、この第１の情報記録担体２ａが貼付または埋め込まれている薬品を識別する名称、記号等の識別子を格納する前記第１の情報記録担体２ａ中の格納部３ａと、患者に既に投薬された、または、投薬される予定の薬品を識別するための名称、記号等の識別子を格納した第２の情報記録担体２ｂ中の格納部３ｂと、前記格納部３ａおよび前記格納部３ｂに格納された前記識別子を非接触で読み出すリーダライタ４と、前記リーダライタ４との通信を行なう情報管理装置５より構成される。
【００５５】
図９は情報記録担体２ｂの格納部３ｂのメモリ構成、図１０は担当医師により当日投薬計画の入力まで完了した状態の情報記録担体２ｂの格納部３ｂの格納内容をプリンタ出力した一実施例を示す。患者ＩＤは患者を一意に識別するコードである。患者氏名は、患者の氏名である。有効期限は、当該情報記録担体２ｂの有効期限を示す。診療科目は、患者が診療を受けている科目を示す。担当医師氏名は、患者の担当医師の氏名を示す。
【００５６】
当日投薬計画は、担当医師が入力する値であり、当日に投薬される予定の薬品を識別するための名称、記号等の識別子を示し、薬品名称・薬品コード・数量により構成される。薬品名称は、患者に投薬される予定の薬品の識別する名称である。薬品コードは、患者に投薬される予定の薬品の識別する記号である。数量は、患者に投薬される予定の薬品の数量である。情報記録担体２ｂの格納部３ｂは、これらの識別子を格納する。
【００５７】
当日調剤実績と当日投薬実績は、本データ送受信プロセスの段階では、すべて不定を示すスペース（２０ＨＥＸ）が設定される。当日調剤実績・当日投薬実績は、図１２において説明する。
【００５８】
図１１は、情報管理装置５とリーダライタ４と情報記録担体２ａおよび２ｂ間のデータ送受信プロセスを示し、図１１（ａ）は情報管理装置５とリーダライタ４と情報記録担体２ｂ間のデータ送受信プロセス、図１１（ｂ）は情報管理装置５とリーダライタ４と情報記録担体２ａ間のデータ送受信プロセスを示す。図１１（ｃ）は図１１（ｂ）に示したプロセスの続きを示す。
【００５９】
図１１（ａ）から説明する。情報記録担体２ｂは、患者に既に投薬された、または、投薬される予定の薬品を識別するための名称、記号等の識別子を格納するものであり、担当医師による診断が実施されたとき、情報記録担体２ｂの格納部３ｂに患者ＩＤ・患者氏名・有効期限・診療科目・担当医師氏名・当日投薬計画・当日調剤実績・当日投薬実績が格納される。
【００６０】
なお、本データ送受信プロセスの前に担当医師による診断が実施され、情報記録担体２ｂの格納部３ｂに患者ＩＤ・患者氏名・有効期限・診療科目・担当医師氏名・当日投薬計画・当日調剤実績・当日投薬実績が格納されているものとする。
【００６１】
Ｓ３００において、情報管理装置５は薬剤師氏名の入力を指示するメッセージを表示し、薬剤師氏名の入力を受付ける。
【００６２】
Ｓ３０１において、情報管理装置５は投薬情報読み取りコマンドをリーダライタ４に送信する。投薬情報読み取りコマンドは、図１２において説明する。
【００６３】
Ｓ３０２において、リーダライタ４は情報管理装置５から受信した投薬情報読み取りコマンドを情報記録担体２ｂに送信する。ＳＵＭ値を検証することで電文に誤りが無いことを確認する。
【００６４】
Ｓ３０３において、情報記録担体２ｂは投薬情報読み取りコマンドを受信する。ＳＵＭ値を検証することで電文に誤りが無いことを確認する。
【００６５】
Ｓ３０４において、情報記録担体２ｂは投薬情報読み取りコマンドに応動して、格納部３から患者ＩＤ・患者氏名・有効期限・診療科目・担当医師氏名・当日投薬計画・当日調剤実績・当日投薬実績を読み込み、投薬情報電文を編集する。投薬情報電文は、図１２において説明する。
【００６６】
Ｓ３０５において、情報記録担体２ｂは投薬情報電文をリーダライタ４に送信する。
【００６７】
Ｓ３０６において、リーダライタ４は投薬情報電文を受信する。ＳＵＭ値を検証することで電文に誤りが無いことを確認する。
【００６８】
Ｓ３０７において、リーダライタ４は受信応答電文を情報記録担体２に送信する。
【００６９】
Ｓ３０８において、情報記録担体２ｂは受信応答電文を受信する。情報記録担体２ｂは受信応答電文を受信することにより、投薬情報電文の送信が正常終了したことを確認する。
【００７０】
Ｓ３０９において、リーダライタ４は投薬情報電文を情報管理装置５に送信する。
【００７１】
Ｓ３１０において、情報管理装置５は投薬情報電文を受信する。ＳＵＭ値を検証することで電文に誤りが無いことを確認する。
【００７２】
Ｓ３１１において、情報管理装置５は受信応答電文をリーダライタ４に送信する。
【００７３】
Ｓ３１２において、リーダライタ４は受信応答電文を受信する。リーダライタ４は受信応答電文を受信することにより、投薬情報電文の送信が正常終了したことを確認する。
【００７４】
上記プロセスにより、情報管理装置５は情報記録担体２ｂから投薬情報を獲得することができる。
【００７５】
図１１（ｂ）について説明する。情報記録担体２ａは、情報記録担体２ａが貼付または埋め込まれている薬品を識別する名称、記号等の識別子を格納するものであり、薬剤師が当該薬品を薬品棚に配置するとき情報記録担体２ａの格納部３ａに薬品名称・薬品コードが格納される。なお、情報記録担体２ａの格納部３ａには、予め薬品名称と薬品コードが格納されているものとする。
【００７６】
Ｓ４００において、情報管理装置５は識別コード読み取りコマンドをリーダライタ４に送信する。なお、情報管理装置５とリーダライタ４間の送受信電文は、図７と同じなので説明を省略する。
【００７７】
Ｓ４０１において、リーダライタ４は情報管理装置５から受信した識別コード読み取りコマンドを情報記録担体２ａに送信する。ＳＵＭ値を検証することで電文に誤りが無いことを確認する。
【００７８】
Ｓ４０２において、情報記録担体２ａは識別コード読み取りコマンドを受信する。ＳＵＭ値を検証することで電文に誤りが無いことを確認する。
【００７９】
Ｓ４０３において、情報記録担体２ａは識別コード読み取りコマンドに応動して、格納部３から薬品名称と薬品コードを読み込み、識別コード電文を編集する。
【００８０】
Ｓ４０４において、情報記録担体２ａは識別コード電文をリーダライタ４に送信する。
【００８１】
Ｓ４０５において、リーダライタ４は識別コード電文を受信する。ＳＵＭ値を検証することで電文に誤りが無いことを確認する。
【００８２】
Ｓ４０６において、リーダライタ４は受信応答電文を情報記録担体２ａに送信する。
【００８３】
Ｓ４０７において、情報記録担体２ａは受信応答電文を受信する。情報記録担体２ａは受信応答電文を受信することにより、識別コード電文の送信が正常終了したことを確認する。
【００８４】
Ｓ４０８において、リーダライタ４は識別コード電文を情報管理装置５に送信する。
【００８５】
Ｓ４０９において、情報管理装置５は識別コード電文を受信する。ＳＵＭ値を検証することで電文に誤りが無いことを確認する。
【００８６】
Ｓ４１０において、情報管理装置５は受信応答電文をリーダライタ４に送信する。
【００８７】
Ｓ４１１において、リーダライタ４は受信応答電文を受信する。リーダライタ４は受信応答電文を受信することにより、識別コード電文の送信が正常終了したことを確認する。
【００８８】
次に図１１（ｃ）に移り、Ｓ４１２において、情報管理装置５は情報記録担体２ａから受信した薬品コードが情報記録担体２ｂから受信した投薬情報電文の当日投薬計画の薬品コードに含まれているかを照合する。
【００８９】
Ｓ４１３において、情報管理装置５はＳ４１２の照合結果に従い、薬品コードが一致する場合は、Ｓ４１５に移行する。薬品コードが一致しない場合は、Ｓ４１４に移行する。
【００９０】
Ｓ４１４において、情報管理装置５は薬品コードが一致しないことを薬剤師に知らせるため、ブザーやエラー通知メッセージを出力する。
【００９１】
Ｓ４１５において、情報管理装置５は薬品コードが一致していることを薬剤師に知らせるため、正常通知メッセージを出力する。
【００９２】
Ｓ４１６において、情報管理装置５は情報記録担体２ｂから受信した投薬情報電文の当日投薬計画の薬品コードがすべて照合されたかどうかを判断する。薬品コードがすべて照合された場合は、Ｓ４１７に移行する。未実施の薬品コードがある場合は、Ｓ４００に移行する。
【００９３】
Ｓ４１７において、情報管理装置５は処理を終了する。
【００９４】
図１２は、リーダライタ４と情報記録担体２ｂ間の送受信データの電文フォーマットの一実施例を示す。図１２（ａ）は、投薬情報読み取りコマンドを示す。投薬情報読み取りは、当該電文の種別を示すコードであり、識別コード読み取りの場合は例えば“Ｓ（５３ＨＥＸ）”を設定する。
【００９５】
図１２（ｂ）は、投薬情報電文を示す。患者ＩＤ・患者氏名・有効期限・診療科目・担当医師氏名・当日投薬計画・当日調剤実績・当日投薬実績は、格納部３ｂから読み込んだコードである。
【００９６】
上記プロセスにより、情報管理装置５で、第１の情報記録担体２ａで読み取った識別子と第２の情報記録担体２ｂで読み取った識別子とを照合できる。この結果、薬剤師の間違いにより間違った薬品が調合・配布されることを防止することができる。
【００９７】
なお、本実施の形態では患者に既に投薬された、または、投薬される予定の薬品を識別するための名称、記号等の識別子を情報記録担体２ｂの格納部２ｂに直接格納しているが、患者ＩＤを情報記録担体２ｂの格納部２ｂに格納しネットワークを介して接続されている電子カルテサーバから患者に既に投薬された、または、投薬される予定の薬品を識別するための名称、記号等の識別子を獲得してもよい。
【００９８】
図１３は、当日投薬実績の入力まで完了した状態の情報記録担体２ｂの格納部３ｂの格納内容をプリンタ出力した一実施例を示す。なお、図１０と重複する部分の説明は省略する。
【００９９】
当日調剤実績は、薬剤師が入力する値であり、当日に投薬される予定の薬品を識別するための名称、記号等の識別子を示し、調剤年月日時分・薬品名称・薬品コード・数量・調剤者氏名により構成される。調剤年月日時分は、薬剤師が調剤を実施した年月日時分である。薬品名称は、患者に投薬される予定の薬品の識別する名称である。薬品コードは、患者に投薬される予定の薬品の識別する記号である。数量は、患者に投薬される予定の薬品の数量である。調剤者氏名は、調剤を実施した薬剤師の氏名である。情報記録担体２ｂの格納部３ｂは、これらの識別子を格納する。
【０１００】
当日投薬実績は、患者が入院患者であれば処置室や病室において処置を実施する医師や看護婦が入力し、患者が外来患者であれば調剤室において薬品を患者に引渡した薬剤師が入力する値であり、当日に既に投薬された薬品を識別するための名称、記号等の識別子を示し、処置実施年月日時分・薬品名称・薬品コード・数量・処置実施者氏名により構成される。処置実施年月日時分は、入院患者であれば医師や看護婦が処置を実施した年月日時分であり、外来患者であれば薬剤師が薬品を患者に引渡した年月日時分である。薬品名称は、患者に投薬された薬品の識別する名称である。薬品コードは、患者に投薬された薬品の識別する記号である。数量は、患者に投薬された薬品の数量である。処置実施者氏名は、入院患者であれば処置を実施した医師や看護婦の氏名であり、外来患者であれば薬品を患者に引渡した薬剤師の氏名である。情報記録担体２ｂの格納部３ｂは、これらの識別子を格納する。
【０１０１】
【発明の効果】
以上の説明から明らかなように、本発明の投薬管理システムによれば、仮に調剤室において間違った薬・器材などを調合・配布した場合でも、すぐその場で発見することができるので余計な時間を消費することがない。また、調剤室における作業内容の実績を管理することで責任分岐点を明確にできる。
【図面の簡単な説明】
【図１】本発明の実施の形態１の投薬管理システムの全体構成を示すブロック図
【図２】本発明の実施の形態１、２、３の情報記録担体の格納部のメモリ構成の一実施例を示す説明図
【図３】本発明の実施の形態１のリーダライタと情報記録担体間のデータ送受信プロセスの一実施例を示す説明図
【図４】本発明の実施の形態１、２のリーダライタと情報記録担体間の送受信データの電文フォーマットの一実施例を示す説明図
【図５】本発明の実施の形態２の投薬管理システムの全体構成を示すブロック図
【図６】本発明の実施の形態２情報管理装置とリーダライタと情報記録担体間のデータ送受信プロセスの一実施例を示す説明図
【図７】本発明の実施の形態２、３の情報管理装置とリーダライタの送受信データの電文フォーマットの一実施例を示す図
【図８】本発明の実施の形態３の投薬管理システムの全体構成を示すブロック図
【図９】本発明の実施の形態３の情報記録担体２ｂの格納部３ｂのメモリ構成の一実施例を示す説明図
【図１０】本発明の実施の形態３の担当医師により当日投薬計画の入力まで完了した状態の情報記録担体２ｂの格納部３ｂの格納内容をプリンタ出力した一実施例を示す説明図
【図１１】本発明の実施の形態３の情報管理装置とリーダライタと情報記録担体間のデータ送受信プロセスの一実施例を示す説明図
【図１２】本発明の実施の形態３のリーダライタ４と情報記録担体２ｂ間の送受信データの電文フォーマットの一実施例を示す説明図
【図１３】本発明の実施の形態３の当日投薬実績の入力まで完了した状態の情報記録担体２ｂの格納部３ｂの格納内容をプリンタ出力した一実施例を示す説明図
【符号の説明】
１　薬品の容器
２　情報記録担体
２ａ　第１の情報記録担体
２ｂ　第２の情報記録担体
３　格納部
３ａ　第１の情報記録担体２ａの格納部
３ｂ　第２の情報記録担体２ｂの格納部
４　リーダライタ
５　情報管理装置
１０　投薬管理システム
【図１】
2004070471.tif 000003
【図２】
2004070471.tif 000004
【図３】
2004070471.tif 000005
【図４】
2004070471.tif 000006
【図５】
2004070471.tif 000007
【図６】
2004070471.tif 000008
【図７】
2004070471.tif 000009
【図８】
2004070471.tif 000010
【図９】
2004070471.tif 000011
【図１０】
2004070471.tif 000012
【図１１】
2004070471.tif 000013
【図１２】
2004070471.tif 000014
【図１３】
2004070471.tif 000015